(57)【要約】【課題】電子機器内の内部流路と電子機器外の外部流路とを接続するための継手構造において、ラックから電子機器を取り出す際の作業性向上を図る。【解決手段】継手構造Ｊａは、サーバー１１（電子機器）の後面に設けられ、筐体１７内の内部流路１３に接続されることで冷却水の流路を構成する第１継手本体３５と、ラック１２に固定して設けられ、筐体１７外の外部流路１４に接続されることで冷却水の流路を構成する第２継手本体５３と、接続された第１継手本体３５と第２継手本体５３を離脱規制状態にロックするロック手段６５と、筐体１７に一体移動可能に取り付けられるようになっており、第１継手本体３５における第２継手本体５３との第１接続部３９（接続部）に対して前方へ相対移動することで、ロック手段６５のロック状態を解除するリアケース３３（ロック解除部材）とを備える。【選択図】図８
2013232094.tif 000002
【特許請求の範囲】
【請求項１】
発熱体が筐体内に収容された形態であって、ラックに対し後方へスライドさせることで収容され、前記ラックから前方へスライドさせることで取り出される電子機器と、
前記筐体の内部に収容され、前記発熱体で発生した熱を奪うための冷却水を流動させる内部流路と、
前記筐体の外部に配置され、前記発熱体から奪った熱を放出させるために冷却水を流動させる外部流路とを備えた電子機器の水冷システムに用いられ、
前記内部流路と前記外部流路とを接続する継手構造であって、
前記電子機器の後面に設けられられるようになっており、前記内部流路に接続されることで冷却水の流路を構成する第１継手本体と、
前記ラックに固定して設けられるようになっており、前記外部流路に接続されることで冷却水の流路を構成する第２継手本体と、
接続された前記第１継手本体と前記第２継手本体を離脱規制状態にロックするロック手段と、
前記筐体に一体移動可能に取り付けられるようになっており、前記第１継手本体における前記第２継手本体との接続部に対して前方へ相対移動することで、前記ロック手段のロック状態を解除するロック解除部材とを備えていることを特徴とする電子機器の水冷システムにおける継手構造。
【請求項２】
前記第１継手本体が、
前記ロック解除部材に対し一体移動可能に取り付けられているとともに、前記筐体と前記内部流路に対して一体移動可能に取り付けられるようになっている基端側部材と、
前記基端側部材に対し前記電子機器のスライド方向と平行に相対変位可能であって、前記接続部を有する先端側部材とを備えて構成されていることを特徴とする請求項１記載の電子機器の水冷システムにおける継手構造。
【発明の詳細な説明】
【技術分野】
【０００１】
本発明は、電子機器の水冷システムにおける継手構造に関するものである。
【背景技術】
【０００２】
スーパーコンピューターやサーバーのように高度な演算処理能力が要求される電子機器は、発熱量が多く、汎用コンピューターに用いられる空冷システムでは充分に冷却することができない。そのため、発熱量の多い電子機器には、冷却水を利用した水冷システムが用いられる。特許文献１には、電子機器の水冷システムとして、電子機器を収容するラックに、冷却水が循環する熱交換機を配置し、ラック内の電子機器で発生した熱を、熱交換機の冷却水が奪うようにした冷却技術が記載されている。
【先行技術文献】
【特許文献】
【０００３】
【特許文献１】特開２０１０−０３４４４６号公報
【発明の概要】
【発明が解決しようとする課題】
【０００４】
熱交換機は、電子機器の外部に配置されているが、電子機器におけるＣＰＵ等の発熱体は、電子機器の筐体の内部に収容されているため、発熱体から熱交換機への伝熱効率が低い。この対策としては、電子機器の筐体の内部に、発熱体で生じた熱を奪う吸熱器と吸熱器に接続される冷却水用の内部流路とを収容し、ラックの外部に、内部流路に接続される外部流路と、外部流路に接続されて冷却水に蓄積された熱を放出する放熱器とを配置する方法が考えられる。
【０００５】
内部流路と外部流路とを接続状態にロックするための継手構造としては、内部流路側の継手と外部流路側の継手とを突き当てることによって、ワンタッチで接続状態にロックされる周知の継手構造を適用することが考えられる。この種の継手構造では、接続状態にロックされている継手をロック解除するために、ロック解除部材を解除方向へ移動させる操作が必要である。しかし、電子機器がラックの前方へ引き出されるようになっている場合、継手構造は電子機器の後面に配置されることになり、作業者が電子機器の後面に手を延ばして継手のロック解除操作を行う必要があるため、作業性が良くない。
本発明は上記のような事情に基づいて完成されたものであって、電子機器内の内部流路と電子機器外の外部流路とを接続するための継手構造において、ラックから電子機器を取り出す際の作業性向上を図ることを目的とする。
【課題を解決するための手段】
【０００６】
上記の目的を達成するための手段として、
本発明は、
発熱体が筐体内に収容された形態であって、ラックに対し後方へスライドさせることで収容され、前記ラックから前方へスライドさせることで取り出される電子機器と、
前記筐体の内部に収容され、前記発熱体で発生した熱を奪うための冷却水を流動させる内部流路と、
前記筐体の外部に配置され、前記発熱体から奪った熱を放出させるために冷却水を流動させる外部流路とを備えた電子機器の水冷システムに用いられ、
前記内部流路と前記外部流路とを接続する継手構造であって、
前記電子機器の後面に設けられられるようになっており、前記内部流路に接続されることで冷却水の流路を構成する第１継手本体と、
前記ラックに固定して設けられるようになっており、前記外部流路に接続されることで冷却水の流路を構成する第２継手本体と、
接続された前記第１継手本体と前記第２継手本体を離脱規制状態にロックするロック手段と、
前記筐体に一体移動可能に取り付けられるようになっており、前記第１継手本体における前記第２継手本体との接続部に対して前方へ相対移動することで、前記ロック手段のロック状態を解除するロック解除部材とを備えているところに特徴を有する。
【発明の効果】
【０００７】
この継手構造によれば、電子機器をラックから前方へ取り出す過程では、電子機器の筐体と一体にロック解除部材が前方への相対移動を始めると、このロック解除部材の相対移動によって、ロック手段によるロックが解除される。この後は、電子機器を前方へスライドさせる動作が進むのにともない、第１継手本体が第２継手本体から離脱する。本発明では、継手構造に対して直接的なロック解除操作を行わなくても、電子機器をラックから取り出す動作によって自動的にロック解除されるので、電子機器をラックから取り出す際の作業性に優れている。
【図面の簡単な説明】
【０００８】
【図１】実施例１の冷却システムにおいてサーバーをラックに収容した状態をあらわす平断面図
【図２】冷却システムにおいてサーバーをラックから取り出している状態をあらわす平断面図
【図３】継手構造において内部流路と外部流路が接続した状態をあらわす一部切欠平面図
【図４】継手構造において内部流路と外部流路の接続が解除した状態をあらわす部分平断面図
【図５】継手構造において内部流路と外部流路の接続過程をあらわす部分平断面図
【図６】継手構造において内部流路と外部流路の接続過程をあらわす部分平断面図
【図７】継手構造において内部流路と外部流路が接続した状態をあらわす一部切欠平面図
【図８】内部流路と外部流路が接続している状態から、サーバーをラックから取り出し始めた様子をあらわす継手構造の部分平断面図
【図９】実施例２の継手構造における第１継手ユニットの一部切欠平面図
【図１０】第２継手ユニットの一部切欠平面図
【図１１】継手構造において内部流路と外部流路が接続した状態をあらわす一部切欠平面図
【図１２】継手構造において内部流路と外部流路の接続過程をあらわす部分平断面図
【図１３】継手構造において内部流路と外部流路が接続した状態をあらわす一部切欠平面図
【図１４】内部流路と外部流路が接続している状態から、サーバーをラックから取り出し始めた様子をあらわす継手構造の部分平断面図
【発明を実施するための形態】
【０００９】
本発明の継手構造は、
前記第１継手本体が、
前記ロック解除部材に対し一体移動可能に取り付けられているとともに、前記筐体と前記内部流路に対して一体移動可能に取り付けられるようになっている基端側部材と、
前記基端側部材に対し前記電子機器のスライド方向と平行に相対変位可能であって、前記接続部を有する先端側部材とを備えて構成されていてもよい。
【００１０】
この継手構造によれば、電子機器をラックから取り出す過程では、ロック解除部材が前方への相対移動を始めてから、ロック手段によるロックが解除されるまでの間、先端側部材は第２継手本体と接続した状態を保つため、電子機器の筐体は、先端側部材から離間していくことになる。このとき、内部流路が先端側部材と一体をなしていると、筐体の内部では内部流路が筐体に対して相対変位することになるが、第１継手本体は、先端側部材に対して相対変位可能な基端側部材を備え、この基端側部材を介して内部流路と筐体が一体移動するようになっているので、内部流路が筐体の内部で相対移動することはない。したがって、内部流路が容易に変形しない剛性の高い材質であっても、筐体内において内部流路と発熱体との位置関係を一定に保つことができる。
【００１１】
＜実施例１＞
以下、本発明を具体化した実施例１を図１〜図８を参照して説明する。
【００１２】
＜水冷システム１０＞
図１，２には、本実施例１の継手構造Ｊａが適用される水冷システム１０の構成を示す。水冷システム１０は、複数のサーバー１１（本発明の構成要件である電子機器）と、複数のサーバー１１を収容するためのラック１２と、サーバー１１内に設けた一対の内部流路１３と、サーバー１１の外部に設けた一対の外部流路１４とを備えて構成されている。
【００１３】
ラック１２は、その前面（図１，２における左側の面）に開放された形態であって、複数のサーバー１１を収容するための収容空間１５を有している。複数のサーバー１１は、個別にラック１２の前方から後方へスライドさせることによってラック１２（収容空間１５）内に収容される。ラック１２に収容されたサーバー１１は、ラック１２に対し個別に前方へスライドさせることによって取り出すことができるようになっている。ラック１２の前面には、ラック１２内に収容したサーバー１１が前方へ移動するのを規制するためのロックアーム１６が設けられている。ロックアーム１６を解除方向へ動かすと、ロックが解除され、サーバー１１がラック１２の前方へ取り出すことができるようになっている。
【００１４】
サーバー１１は、箱形の筐体１７と、筐体１７の内部に収容されたＣＰＵ１８（本発明の構成要件である発熱体）とを備えて構成されている。筐体１７の内部には、ＣＰＵ１８で発生した熱を吸収する吸熱体１９と、ＣＰＵ１８で発生した熱を吸熱体１９を介して奪う冷却水を流動させるための内部流路１３とが収容されている。吸熱体１９は、ＣＰＵ１８に接するように配置され、筐体１７に対して相対移動しないように固定されている。
【００１５】
一対の内部流路１３は、変形し難い剛性の高い金属パイプからなり、筐体１７に対して相対移動しないように固定されている。内部流路１３の一方の端部は吸熱体１９に接続されている。内部流路１３の他方の端部は第１継手ユニット３０に接続されている。第１継手ユニット３０は、筐体１７を構成する後面板２０に貫通状態で取り付けられている。
【００１６】
一対の外部流路１４は、ＣＰＵ１８から奪った熱を放出させるために、冷却水をサーバー１１の外部で流動させるものである。外部流路１４の一方の端部には、放熱体２１が接続されている。外部流路１４の他方の端部は第２継手ユニット５０に接続されている。第２継手ユニット５０は、ラック１２の後端部に固定して配置されている。この第２継手ユニット５０と上記第１継手ユニット３０は、内部流路１３の両端部と外部流路１４の両端部とを接続するための継手構造Ｊａを構成する。
【００１７】
＜第１継手ユニット３０＞
図３，４に示すように、第１継手ユニット３０は、第１ハウジング３１と、第１継手本体３５と、ロック部材４１と、ロックバネ４２と、第１弁体４７と、第１弁バネ４８とを備えて構成される。第１ハウジング３１は、外形がブロック状をなし、フロントケース３２とリアケース３３（本発明の構成要件であるロック解除部材）とをボルト締めにより前後に合体して構成されている。第１ハウジング３１には、前後方向に貫通する左右一対の第１取付孔３４が形成されている。各第１取付孔３４には、夫々、筒状の第１継手本体３５が貫通形態で取り付けられている。
【００１８】
第１継手本体３５は、筒状の基端側部材３６と、筒状の先端側部材３７とから構成されている。基端側部材３６は、フロントケース３２に内嵌され、第１ハウジング３１に対して相対移動を規制された状態で取り付けられている。第１継手本体３５の中空内は、冷却水を流動させるための第１流路３８となっている。基端側部材３６の前端部には、内部流路１３の端部が接続されている。先端側部材３７は、２つの部材を前後に合体させて構成され、リアケース３３に内嵌されている。先端側部材３７は、第１ハウジング３１に対して前後方向に相対移動可能となっている。先端側部材３７の先端部（後端部）は、第１接続部３９（本発明の構成要件である接続部）となっている。第１接続部３９の外周にはロック溝４０が形成されている。
【００１９】
ロック部材４１は、筒状をなし、リアケース３３の内周と先端側部材３７の外周との隙間に収容されており、リアケース３３に対して前後方向に相対移動し得るようになっている。また、ロック部材４１は、先端側部材３７に対してロック位置（図３〜５，７，８を参照）と、ロック位置よりも前方のロック解除位置（図６を参照）との間で前後方向に相対移動し得るようになっている。先端側部材３７とロック部材４１との間には、ロック部材４１をロック位置側へ付勢するロックバネ４２が設けられている。ロック部材４１の外周には段差状の受け部４３が形成され、リアケース３３の後端部内周には、段差状の係止部４４が設けられている。
【００２０】
ロック部材４１は、常には、ロックバネ４２の付勢により、受け部４３を係止部４４に当接させるロック位置に保持されている。ロック部材４１がロック位置にある状態では、ロック部材４１の後端部が、ロック溝４０に対し外周側から包囲するように位置する。ロック部材４１がロック解除位置へ退避した状態では、ロック部材４１がロック溝４０と非対応の位置関係（ロック部材４１の後端がロック溝４０よりも前方に位置する状態）となる。
【００２１】
第１継手本体３５には、第１流路３８における冷却水の流動を制御するための第１開閉弁４５が設けられている。第１開閉弁４５は、第１流路３８の後端部内周に形成した第１弁口４６と、第１継手本体３５の内部に前後移動可能に設けた第１弁体４７と、第１弁体４７を後方へ付勢するための第１弁バネ４８とを備えて構成されている。第１弁体４７に外力が作用していない状態では、第１開閉弁４５は、第１弁バネ４８の付勢により第１弁体４７を第１弁口４６に当接させる閉弁状態に保たれ、第１流路３８における冷却水の流動が阻止される。第１弁体４７が、後方からの押圧力を受けると、第１弁口４６が開放されて第１開閉弁４５が開弁状態となり、第１流路３８における冷却水の流動が許容される。
【００２２】
＜第２継手ユニット５０＞
図３，４に示すように、第２継手ユニット５０は、第２ハウジング５１と、第２継手本体５３と、ロックボール６０とを備える。第２ハウジング５１は、外形がブロック状をなし、内部には前後方向に貫通する左右一対の第２取付孔５２が形成されている。各第２取付孔５２には、夫々、筒状の第２継手本体５３が貫通形態で取り付けられている。
【００２３】
第２継手本体５３は、２つの部材を前後に合体させた外筒体５４と、外筒体５４の内周に組み付けられた内筒体５５とから構成される。第２継手本体５３の中空内は、冷却水を流動させるための第２流路５６となっている。外筒体５４の後端部には、外部流路１４の端部が接続される。内筒体５５の先端部（前端部）は、第１接続部３９に対して後方から液密状に外嵌される第２接続部５７となっている。第２継手本体５３の内部には、第２流路５６と同心状に配置した柱状部５８が設けられている。柱状部５８の後端部は、周方向に間隔を空けた複数の連結部５９により、内筒体５５の内周に支持されている。
【００２４】
第２接続部５７には、複数のロックボール６０が、周方向に間隔を空けて取り付けられている。ロックボール６０は、第２接続部５７に対して径方向（厚さ方向）へ相対移動し得るようになっている。図３，４，７，８に示すように、ロックボール６０が最も内周側へ移動したロック状態では、ロックボール６０の全体が第２接続部５７の外周面よりも内周側に位置し、ロックボール６０の一部が第２接続部５７の内周面よりも内側へ突出する。また、図５，６に示すように、ロックボール６０の全体が第２接続部５７の内周面よりも外周側に位置るロック解除状態では、ロックボール６０の一部が第２接続部５７の外周面よりも外側へ突出する。
【００２５】
第２継手本体５３には、第２流路５６における冷却水の流動を制御するための第２開閉弁６１が設けられている。第２開閉弁６１は、柱状部５８の前端部外周に形成した第２弁口６２と、第２継手本体５３の内部に前後移動可能に設けた筒状の第２弁体６３と、第２弁体６３を前方へ付勢するための第２弁バネ６４とを備えて構成されている。第２弁体６３に外力が作用していない状態では、第２開閉弁６１は、第２弁バネ６４の付勢により第２弁体６３を第２弁口６２に当接させる閉弁状態（図４を参照）に保たれ、第２流路５６における冷却水の流動が阻止される。第２弁体６３が、前方からの押圧力を受けると、第２弁口６２が開放されて第２開閉弁６１が開弁状態（図３，５〜８を参照）となり、第２流路５６における冷却水の流動が許容される。
【００２６】
本実施例１の継手構造Ｊａは、第１接続部３９と第２接続部５７が接続した状態で、第１継手本体３５と第２継手本体５３と離脱規制状態にロックするためのロック手段６５を備える。このロック手段６５は、ロック溝４０と、ロックボール６０と、ロック部材４１と、ロックバネ４２とを備えて構成され、後述するように、ロック手段６５は、第１継手本体３５と第２継手本体５３をワンタッチで接続状態にロックするようになっている。また、本実施例１の継手構造Ｊａでは、リアケース３３が、ラック１２からサーバー１１を取り出す際の作業性向上を図るための手段として機能する。即ち、ロック手段６５のロックを解除するためのロック解除部材として機能するリアケース３３には、筐体１７の後面板２０が、フロントケース３２とリアケース３３との間で前後に挟み付けた状態で一体移動するように固定して取り付けられている。
【００２７】
＜実施例１の作用＞
次に、本実施例１の作用を説明する。サーバー１１を後方へスライドさせながらラック１２に収容する過程では、第１継手本体３５が前方から第２継手本体５３に接近すると、図５に示すように、第１接続部３９の先端（後端）が、第２接続部５７の内周に嵌合してロックボール６０を外周側へ押し出し、その後、ロック部材４１の先端（後端）が第２接続部５７に外周に嵌合してロックボール６０に当接する。
【００２８】
これ以降は、第１接続部３９が後方へ移動して第２接続部５７への嵌合を進めるのであるが、ロック部材４１は、ロックボール６０に当たっているので後方へ移動できない。したがって、図６に示すように、ロック部材４１がロック解除位置へ退避する。そして、第１接続部３９と第２接続部５７とが正規の嵌合状態になると、サーバー１１がラック１２内の所定の収容位置に到達し、ロックボール６０とロック溝４０とが対応する位置関係となる。
【００２９】
すると、図７に示すように、ロック部材４１を介してロックバネ４２の付勢力を受けていたロックボール６０が、径方向内側へ移動してロック溝４０に嵌合する。これに伴い、ロック部材４１が、ロックバネ４２の付勢によりロック解除位置からロック位置へ移動し、ロックボール６０に対して外周側から当接又は接近して対向する状態となる。これにより、ロックボール６０がロック溝４０に嵌合（係止）する状態に保持され、ロック手段６５（ロックボール６０とロック溝４０との係止作用）によって、第１接続部３９と第２接続部５７が液密状に接続した状態にロックされる。
【００３０】
また、第１接続部３９と第２接続部５７の嵌合が進む間に、第１接続部３９の先端が第２弁体６３を後方へ押し動かすことによって第２開閉弁６１が開弁状態になる。一方、第１弁体４７は、柱状部５８の先端に突き当たることにより、第１接続部３９に対して相対的に前方へ移動するので、第１開閉弁４５が開弁状態となる。これにより、第１流路３８と第２流路５６を介して内部流路１３と外部流路１４が連通する。
【００３１】
上述のように、本実施例１では、ラック１２に対してサーバー１１を収容する作業と、内部流路１３と外部流路１４を接続する作業とが同時に完了する。この間、作業者は、第１継手ユニット３０や第２継手ユニット５０に手を触れる必要がなく、サーバー１１を把持してラック１２に収容する作業を行うだけで、内部流路１３と外部流路１４の接続が自動的に完了する。サーバー１１をラック１２に収容すると、冷却水が内部流路１３と外部流路１４とによって構成される循環経路を流れ、この間に、ＣＰＵ１８で発生した熱が吸熱体１９を介して冷却水に奪われ、冷却水に蓄えられた熱が放熱体２１で放出され、これにより、ＣＰＵ１８が効率的に冷却される。
【００３２】
ラック１２に収容されているサーバー１１を、メンテナンス等のためにラック１２から外す際には、図８に示す接続状態から、サーバー１１を掴んで前方へスライドさせつつ引っ張る。サーバー１１の移動が開始すると、まず、サーバー１１の筐体１７と一体をなすリアケース３３が前方へ移動するので、係止部４４と受け部４３との係止により、ロック位置にあるロック部材４１が、リアケース３３と一体的に前方のロック解除位置側へ移動する。この間、ロック部材４１はロックボール６０を外周側から抑え込んでいて、ロックボール６０とロック溝４０の係止状態が維持されるので、第１接続部３９は、前方へ移動せずに第２接続部５７との接続状態を保つ。つまり、サーバー１１の前方への移動が進むのに伴い、リアケース３３とロック部材４１は、先端側部材３７（第１接続部３９）に対して相対的に前方へ移動することになる。
【００３３】
そして、図８に示すように、ロック部材４１がロックボール６０から外れると、ロックボール６０が外周側へ移動してロック溝４０から外れ、ロック手段６５によるロック状態が解除される。ロックが解除されると、ロックバネ４２の付勢により、第１接続部３９（先端側部材３７）が、前方（基端側部材３６に接近する方向）へ移動して第２接続部５７から離脱する。第１接続部３９が第２接続部５７から離脱した後は、先端側部材３７（第１接続部３９）がリアケース３３及び筐体１７と一体となって前方へ移動する。
【００３４】
また、第１接続部３９と第２接続部５７が離間するのに伴い、柱状部５８で前方へ押されていた第１弁体４７が、第１弁バネ４８の付勢により後方へ移動して第１弁口４６を塞ぐので、第１開閉弁４５が閉弁状態となる。したがって、内部流路１３内の冷却水が外部へ漏れることはない。一方、第１接続部３９によって後方へ押されていた第２弁体６３が、第２弁バネ６４の付勢により前方へ移動して第２弁口６２を塞ぐので、第２開閉弁６１が閉弁状態となる。したがって、外部流路１４内の冷却水が外部へ漏れることはない。
【００３５】
このように、本実施例１では、接続された第１継手本体３５と第２継手本体５３を離脱規制状態にロックするロック手段６５と、筐体１７に一体移動可能に取り付けられるようになっており、第１継手本体３５の第１接続部３９に対して前方へ相対移動することで、ロック手段６５のロック状態を解除するリアケース３３とを備えている。したがって、作業者は、ラック１２の前方に立ってサーバー１１の前端側部分を掴み、サーバー１１をラック１２から前方（手前側）へ引っ張り出すだけで、ロック手段６５のロックが自動的に解除される。つまり、作業者は、ロック解除のためにサーバー１１の後方（つまり、ラック１２の奥の方）に位置する第１継手ユニット３０や第２継手ユニット５０に直接、手を触れて操作を行う必要がない。サーバー１１をラック１２から取り出す作業とは別に、ロックを解除する作業が不要であるから、サーバー１１をラック１２から取り出す際の作業性に優れている。
【００３６】
また、本実施例１の継手構造Ｊａでは、サーバー１１をラック１２から取り出す過程で、リアケース３３が第１接続部３９に対して前方への相対移動を始めてから、ロック手段６５によるロックが解除されるまでの間、先端側部材３７は第２継手本体５３と接続した状態を保つので、筐体１７は、先端側部材３７に対して前方へ相対移動することになる。このとき、内部流路が先端側部材と一体をなしていると、筐体の内部では、内部流路と吸熱体１９が、筐体やＣＰＵ１８に対して後方へ相対変位することになる。
【００３７】
そこで、本実施例１では、第１継手本体３５を、内部流路１３と筐体１７に対して一体移動する基端側部材３６と、第１接続部３９が形成された先端側部材３７とで構成し、この基端側部材３６と先端側部材３７とが前後方向（ラック１２に対するサーバー１１のスライド方向と平行な方向）に相対移動し得るようにしている。この構成によれば、第１接続部３９が第２接続部５７と接続状態に維持されていても、内部流路１３と吸熱体１９は筐体１７と一体に前方へ移動できるので、内部流路１３と吸熱体１９が筐体１７の内部で相対移動することはない。したがって、内部流路１３が、金属のように容易に変形しない剛性の高い材質であっても、筐体１７内において吸熱体１９とＣＰＵ１８との位置関係を一定に保つことができる。
【００３８】
＜実施例２＞
次に、本発明を具体化した実施例２を図９〜図１４を参照して説明する。本実施例２の継手構造Ｊｂは、第１継手ユニット７０の一部の構成を上記実施例１の第１継手ユニット３０と異なる構成としたものである。その他の構成については上記実施例１と同じであるため、同じ構成については、同一符号を付し、構造、作用及び効果の説明は省略する。
【００３９】
上記実施例１の第１継手本体３５は、第１接続部３９と内部流路１３とを前後方向に相対移動し得るような形態としたのに対し、本実施例２の第１継手本体７１は、図９に示すように、第１接続部３９と内部流路１３とが前後方向に相対移動しない形態となっている。つまり、第１接続部３９と筐体１７は、常に、一体的に移動し得るようになっている。
【００４０】
本実施例２の作用を説明する。サーバー１１をラック１２に収容する過程は、図１１〜１３に示すように、ロック手段６５の動作等は実施例１と同じであり、ラック１２に対してサーバー１１を収容する作業と、内部流路１３と外部流路１４を接続する作業とが同時に完了する。この間、作業者は、第１継手ユニット７０や第２継手ユニット５０に手を触れる必要がなく、サーバー１１を把持してラック１２に収容する作業を行うだけで、内部流路１３と外部流路１４の接続が自動的に完了する。
【００４１】
ラック１２に収容されているサーバー１１を掴んで、前方へスライドさせつつ引っ張ると、サーバー１１の筐体１７と一体をなすリアケース７２（本発明の構成要件であるロック解除部材）が前方へ移動するので、係止部４４と受け部４３との係止により、ロック位置（図９，１１，１３，１４を参照）にあるロック部材４１が、リアケース７２と一体的に前方のロック解除位置（図１２を参照）へ移動する。この間、ロック部材４１はロックボール６０を外周側から抑え込んでいて、ロックボール６０とロック溝４０との係止状態が維持されるので、第１接続部３９は、前方へ移動せずに第２接続部５７との接続状態を保つ。つまり、サーバー１１の前方への移動が進むのに伴い、リアケース７２とロック部材４１は、第１接続部３９に対して前方へ相対移動することになる。
【００４２】
そして、図１４に示すように、ロック部材４１がロックボール６０から外れると、ロックボール６０が外周側へ移動してロック溝４０から外れ、ロック手段６５によるロック状態が解除される。ロックが解除されると、ロックバネ４２の付勢により、第１接続部３９が前方へ移動して第２接続部５７から離脱する。第１接続部３９が第２接続部５７から離脱した後は、第１接続部３９（第１継手本体７１の全体）がリアケース７２及び筐体１７と一体となって前方へ移動する。
【００４３】
このように、本実施例２では、接続された第１継手本体７１と第２継手本体５３を離脱規制状態にロックするロック手段６５と、筐体１７に一体移動可能に取り付けられるようになっており、第１接続部３９に対して前方へ相対移動することで、ロック手段６５のロック状態を解除するリアケース７２とを備えている。したがって、作業者は、ラック１２の前方に立ってサーバー１１の前端側部分を掴み、サーバー１１をラック１２から前方（手前側）へ引っ張り出すだけで、ロック手段６５のロックが自動的に解除される。サーバー１１をラック１２から取り出す作業とは別に、ロックを解除する作業が不要であるから、サーバー１１をラック１２から取り出す際の作業性に優れている。
【００４４】
また、本実施例２の継手構造Ｊｂでは、サーバー１１をラック１２から取り出す過程で、リアケース１１が第１接続部３９に対して前方への相対移動を始めてから、ロック手段６５によるロックが解除されるまでの間、第１継手本体７１は第２継手本体５３と接続した状態を保つので、筐体１７は、第１継手本体７１に対して前方へ相対移動することになる。第１継手本体７１には内部流路１３の端部が接続されているので、筐体１７の内部では、内部流路１３と吸熱体１９が、筐体１７やＣＰＵ１８に対して後方へ相対変位することが懸念される。
【００４５】
その対策としては、本実施例２では、内部流路１３として変形可能な材質（例えば、合成樹脂やゴム等）を用いている。内部流路１３を変形可能にすれば、第１接続部３９が第２接続部５７と接続状態に維持されていても、吸熱体１９は筐体１７及びＣＰＵ１８と一体に前方へ移動できるので、筐体１７内において吸熱体１９とＣＰＵ１８との位置関係を保つことができる。
【符号の説明】
【００４６】
Ｊａ…継手構造
１１…サーバー（電子機器）
１２…ラック
１３…内部流路
１４…外部流路
１７…筐体
１８…ＣＰＵ（発熱体）
３３…リアケース（ロック解除部材）
３５…第１継手本体
３６…基端側部材
３７…先端側部材
３９…第１接続部（接続部）
５３…第２継手本体
６５…ロック手段
Ｊｂ…継手構造
７１…第１継手本体
７２…リアケース（ロック解除部材）
【図１】
2013232094.tif 000003
【図２】
2013232094.tif 000004
【図３】
2013232094.tif 000005
【図４】
2013232094.tif 000006
【図５】
2013232094.tif 000007
【図６】
2013232094.tif 000008
【図７】
2013232094.tif 000009
【図８】
2013232094.tif 000010
【図９】
2013232094.tif 000011
【図１０】
2013232094.tif 000012
【図１１】
2013232094.tif 000013
【図１２】
2013232094.tif 000014
【図１３】
2013232094.tif 000015
【図１４】
2013232094.tif 000016
【手続補正書】
【提出日】平成24年7月30日(2012.7.30)
【手続補正１】
【補正対象書類名】明細書
【補正対象項目名】０００６
【補正方法】変更
【補正の内容】
【０００６】
上記の目的を達成するための手段として、
本発明は、
発熱体が筐体内に収容された形態であって、ラックに対し後方へスライドさせることで収容され、前記ラックから前方へスライドさせることで取り出される電子機器と、
前記筐体の内部に収容され、前記発熱体で発生した熱を奪うための冷却水を流動させる内部流路と、
前記筐体の外部に配置され、前記発熱体から奪った熱を放出させるために冷却水を流動させる外部流路とを備えた電子機器の水冷システムに用いられ、
前記内部流路と前記外部流路とを接続する継手構造であって、
前記電子機器の後面に設けられるようになっており、前記内部流路に接続されることで冷却水の流路を構成する第１継手本体と、
前記ラックに固定して設けられるようになっており、前記外部流路に接続されることで冷却水の流路を構成する第２継手本体と、
接続された前記第１継手本体と前記第２継手本体を離脱規制状態にロックするロック手段と、
前記第１継手本体における前記第２継手本体との接続部に対して前方へ相対移動することで、前記ロック手段のロック状態を解除するロック解除部材とを備え、
前記ロック解除部材は、前記筐体に対し一体移動可能に固定されるようになっており、
前記第１継手本体と前記第２継手本体が接続している状態で前記電子機器の前方への変位が開始されると、前記ロック解除部材が前記筐体と一体に前方へ移動することにより、前記ロック手段のロック状態が解除されるようになっているところに特徴を有する。
【手続補正２】
【補正対象書類名】明細書
【補正対象項目名】０００９
【補正方法】変更
【補正の内容】
【０００９】
本発明の継手構造は、
前記第１継手本体が、
前記ロック解除部材に対し一体移動可能に取り付けられているとともに、前記筐体と前記内部流路に対して一体移動可能に取り付けられるようになっている基端側部材と、
前記基端側部材に対し前記電子機器のスライド方向と平行に相対変位可能であって、前記接続部を有する先端側部材とを備えて構成され、
前記基端側部材と前記ロック解除部材と前記筐体と前記内部流路が、一体となって移動するようになっており、
前記ロック手段が、
前記接続部に形成されたロック溝と、
前記ロック解除部材に対しロック位置と前記ロック位置よりも前方のロック解除位置との間で相対変位可能であって、前記ロック位置側へ付勢されたロック部材と、
前記第２継手本体に設けられたロックボールとを備えて構成され、
前記第１継手本体と前記第２継手本体の接続過程では、前記ロック部材が、前記ロックボールに当接して前記ロック解除部材に対して相対変位しつつ前記ロック解除位置へ退避することで、前記ロックボールが前記ロック溝に対して嵌合可能となり、
前記ロックボールが前記ロック溝に嵌合すると、前記ロック部材が、前記ロック解除部材に対して相対変位しつつ前記ロック解除位置から前記ロック位置へ復帰することにより、前記ロックボールと前記ロック溝とが嵌合状態に保持されて前記ロック手段がロックされるようになっていてもよい。
【手続補正３】
【補正対象書類名】特許請求の範囲
【補正対象項目名】全文
【補正方法】変更
【補正の内容】
【特許請求の範囲】
【請求項１】
発熱体が筐体内に収容された形態であって、ラックに対し後方へスライドさせることで収容され、前記ラックから前方へスライドさせることで取り出される電子機器と、
前記筐体の内部に収容され、前記発熱体で発生した熱を奪うための冷却水を流動させる内部流路と、
前記筐体の外部に配置され、前記発熱体から奪った熱を放出させるために冷却水を流動させる外部流路とを備えた電子機器の水冷システムに用いられ、
前記内部流路と前記外部流路とを接続する継手構造であって、
前記電子機器の後面に設けられるようになっており、前記内部流路に接続されることで冷却水の流路を構成する第１継手本体と、
前記ラックに固定して設けられるようになっており、前記外部流路に接続されることで冷却水の流路を構成する第２継手本体と、
接続された前記第１継手本体と前記第２継手本体を離脱規制状態にロックするロック手段と、
前記第１継手本体における前記第２継手本体との接続部に対して前方へ相対移動することで、前記ロック手段のロック状態を解除するロック解除部材とを備え、
前記ロック解除部材は、前記筐体に対し一体移動可能に固定されるようになっており、
前記第１継手本体と前記第２継手本体が接続している状態で前記電子機器の前方への変位が開始されると、前記ロック解除部材が前記筐体と一体に前方へ移動することにより、前記ロック手段のロック状態が解除されるようになっていることを特徴とする電子機器の水冷システムにおける継手構造。
【請求項２】
前記第１継手本体が、
前記ロック解除部材に対し一体移動可能に取り付けられているとともに、前記筐体と前記内部流路に対して一体移動可能に取り付けられるようになっている基端側部材と、
前記基端側部材に対し前記電子機器のスライド方向と平行に相対変位可能であって、前記接続部を有する先端側部材とを備えて構成され、
前記基端側部材と前記ロック解除部材と前記筐体と前記内部流路が、一体となって移動するようになっており、
前記ロック手段が、
前記接続部に形成されたロック溝と、
前記ロック解除部材に対しロック位置と前記ロック位置よりも前方のロック解除位置との間で相対変位可能であって、前記ロック位置側へ付勢されたロック部材と、
前記第２継手本体に設けられたロックボールとを備えて構成され、
前記第１継手本体と前記第２継手本体の接続過程では、前記ロック部材が、前記ロックボールに当接して前記ロック解除部材に対して相対変位しつつ前記ロック解除位置へ退避することにより、前記ロックボールが前記ロック溝に対して嵌合可能となり、
前記ロックボールが前記ロック溝に嵌合すると、前記ロック部材が、前記ロック解除部材に対して相対変位しつつ前記ロック解除位置から前記ロック位置へ復帰することにより、前記ロックボールと前記ロック溝とが嵌合状態に保持されて前記ロック手段がロックされるようになっていることを特徴とする請求項１記載の電子機器の水冷システムにおける継手構造。